(57)【特許請求の範囲】
【請求項１】
吸込グリルが中央部に装着された化粧パネルが固定される外郭筐体を有する室内機と、
同室内機の動作を指示する指示装置とを備えた空気調和機であって、
前記化粧パネルは、
前記吸込グリルの周囲に吹き出し空気の風向を調整する風向板を備えた複数の吹出口が
前記化粧パネルの中央を中心として所定角度間隔に配置されており、
前記吸込グリルは、
１つの前記風向板を指し示す基準マークが備えられると共に、前記基準マークがいずれ
か１の前記風向板を指し示すように着脱自在に前記化粧パネルに装着され、前記指示装置
から指示される前記風向板を識別する論理風向板番号が前記基準マークを起点としてそれ
ぞれの前記風向板に対応して割り当てられており、
前記風向板は、同風向板を識別する風向板識別番号が割り当てられており、
前記空気調和機は、
前記吸込グリルの装着方向を検出するグリル装着方向検出手段と、
検出された前記吸込グリルの装着方向に基づいて前記論理風向板番号に前記風向板識別番号を割り当てる番号割当手段と、
前記指示装置から入力された前記論理風向板番号を割り当てられた前記風向板識別番号
に変換して出力する番号変換手段とを備えたことを特徴とする空気調和機。
【発明の詳細な説明】
【技術分野】
【０００１】
本発明は、独立した複数の風向板を個別に制御可能な空気調和機に係わり、より詳細には、リモコンで指定する風向板と室内機の風向板との関連付けに関する。
【背景技術】
【０００２】
従来、天井埋込型の室内機を備えた空気調和機は、例えば、特許文献１に示すものが開示されている。この室内機は、独立して制御可能な４つの風向板を備えており、各風向板を識別するマークが室内機に設けられている。また、この室内機を制御するリモコンにも識別マークに対応するマークが表示される構成になっている。このためユーザーは室内機の風向板と対応する識別マークを目視し、リモコンの画面上でこれと同じマークの風向板を選択することにより、意図する風向板をリモコンで操作できるように構成されている。
【０００３】
しかしながら、室内機に設けられた識別マークとリモコンに設けられた識別マークとの関連付けは使用するユーザーが目視により行なうため、ユーザーは室内機の識別マークを風向操作するたびに目視する必要があり、操作性が悪かった。このため、この識別マークとリモコンのマークとの関連付けをユーザーが目視によらず関連付けする技術が望まれていた。例えば、４方向に風向板を備えた室内機がどのような向きに配置されていても、何か方向の基準となる目印（入口のドアや窓など）を基準として室内機の風向板を識別する識別番号を１〜４で予め設定できれば、目視によらずに関連付けができる。
【０００４】
一方、従来の室内機を複数設置する場合、室内機に設けられている複数の風向板の配置を全ての室内機において同じ配置になるように同一方向に取付できない場合がある。例えば、天井埋込型の室内機は天井内に埋め込まれるため、室内機の冷媒配管と天井内のダクトや設置機器、建物の柱や梁などが干渉し、室内機の設置方向に制限が発生する場合がある。このような場合、各室内機と、これに対応するリモコンとの間で前述した関連付けの問題が発生すると共に、これら複数の室内機を１つのグループとしてリモコンから風向板のマークを指定して各室内機の風向板を一括して制御しようとする場合、個々の室内機の設置方向により、すべて同じ方向の風向板が動作せずに、異なる方向の意図しない風向板が動作する問題が有った。
【０００５】
図８はこのような場合を説明する説明図であり、室内機を天井の下方から目視した場合を示している。
室内機８５と室内機８６は全く同じ機種であり、同じ部屋に設置されて同じグループとして制御される。本来は室内機８５と室内機８６は、前述した室内機の風向板とこれを指定するリモコンとの関連付けを考えた場合、同一方向に取り付けるべきであるが、室内機８６の右方向は天井内に障害物があるため冷媒管を右側に取り付けることができず、やむなく室内機８６を室内機８５に対して１８０度回転して配置している。
【０００６】
一方、各室内機の風向板には４つの風向板を識別するための風向板識別番号１〜４が付与されており、図示しないリモコンからこの風向板識別番号で動作対象の風向板を制御するようになっている。
室内機８５は風向板識別番号（１）が風向板８５ａ、風向板識別番号（２）が風向板８５ｂ、風向板識別番号（３）が風向板８５ｃ、風向板識別番号（４）が風向板８５ｄと、風向板８５ａを基準として時計回り方向に風向板識別番号が割り当てられている。
【０００７】
室内機８６も同様に風向板識別番号（１）が風向板８６ａ、風向板識別番号（２）が風向板８６ｂ、風向板識別番号（３）が風向板８６ｃ、風向板識別番号（４）が風向板８６ｄに割り当てられている。このように取付方向が異なる複数の室内機が１つのグループ内に混在する場合であっても、グループ内の各室内機の風向板を全て同じように制御、例えば全風向板をスイング動作させたり、全風向板を水平にする操作については全く問題ない。
【０００８】
しかしながら、ユーザーが例えば図８の複数の室内機において図示しない窓側など同一方向にある各々の風向板を１つのグループとして一括操作しようとした場合、室内機８５と室内機８６に対してリモコンから風向板識別番号（１）を制御する指示を出すと、風向板８５ａと風向板８６ａが制御対象となり、ユーザーの意図とは異なる風向板が動作してしまうという問題が発生する。
このような場合は一旦グループとして風向板を制御した後、個別の室内機に対して再度、意図する風向板を指定して操作をやりなおす必要があり操作性が悪かった。
【先行技術文献】
【特許文献】
【０００９】
【特許文献１】特開２０１１−９４９２４号公報（第１０−１４頁、図４）
【発明の概要】
【発明が解決しようとする課題】
【００１０】
本発明は以上述べた問題点を解決し、個別に操作可能な複数の風向板を備えた空気調和機の室内機とリモコン（指示装置）において、室内機の各風向板とこの風向板の動作を指示するリモコンの操作対象風向板との関連付けを容易に行なえるようにする。また、複数の室内機の取付方向が異なっても同じ方向の風向板を一括して操作可能にする。
【課題を解決するための手段】
【００１１】
本発明は上述の課題を解決するため、本発明の請求項１に記載の発明は、吸込グリルが
中央部に装着された化粧パネルが固定される外郭筐体を有する室内機と、同室内機の動作
を指示する指示装置とを備えた空気調和機であって、
前記化粧パネルは、
前記吸込グリルの周囲に吹き出し空気の風向を調整する風向板を備えた複数の吹出口が
前記化粧パネルの中央を中心として所定角度間隔に配置されており、
前記吸込グリルは、１つの前記風向板を指し示す基準マークが備えられると共に、前記基準マークがいずれ
か１の前記風向板を指し示すように着脱自在に前記化粧パネルに装着され、前記指示装置
から指示される前記風向板を識別する論理風向板番号が前記基準マークを起点としてそれ
ぞれの前記風向板に対応して割り当てられており、
前記風向板は、同風向板を識別する風向板識別番号が割り当てられており、
前記空気調和機は、
前記吸込グリルの装着方向を検出するグリル装着方向検出手段と、
検出された前記吸込グリルの装着方向に基づいて前記論理風向板番号に前記風向板識別番号を割り当てる番号割当手段と、
前記指示装置から入力された前記論理風向板番号を割り当てられた前記風向板識別番号
に変換して出力する番号変換手段とを備えた。
【発明の効果】
【００１２】
以上の手段を用いることにより、本発明による空気調和機によれば、
請求項１に係わる発明は、検出された吸込グリルの装着方向に基づいて論理風向板番号に風向板識別番号を割り当てる番号割当手段と、入力された論理風向板番号を風向板識別番号に変換して出力する番号変換手段を備えたため、室内機の各風向板とこの風向板の動作を指示するリモコンの操作対象風向板との関連付けを容易に行うことができる。また、複数の室内機の取付方向が異なっても同じ方向の風向板を一括して操作することができる。
【図面の簡単な説明】
【００１３】
【図１】（Ａ）は本発明による空気調和機の実施例を示すブロック図である。（Ｂ）はこの空気調和機を制御するグループリモコンの正面図である。
【図２】（Ａ）は本発明による室内機を斜め下方から見上げた斜視図である。（Ｂ）は４つの位置識別板の正面図である。
【図３】室内機の細部を示す要部断面図である。
【図４】室内機の制御ブロック図である。
【図５】風向板番号変換手段を説明する空気調和機の機能ブロック図である。
【図６】本発明の原理を説明する説明図である。
【図７】風向板識別番号変換テーブルを説明する説明図である。
【図８】従来の室内機の設置を示す説明図である。
【発明を実施するための形態】
【００１４】
以下、本発明の実施の形態を、添付図面に基づいた実施例として詳細に説明する。
【実施例１】
【００１５】
図１（Ａ）は本発明による空気調和機１の実施例を示すブロック図である。この空気調和機１は、複数の天井埋込型の室内機５と室内機６と室内機７と、これらを同一グループとして操作するグループリモコン２（指示装置）が通信接続されている。なお、各室内機は同一機種である。
【００１６】
室内機５は中央部に吸込グリル５ｆが装着された化粧パネル５ｒが下面に固定される外郭筐体５６を備えている。
化粧パネル５ｒは、吸込グリル５ｆの周囲に吹き出し空気の風向を調整する風向板を備えた複数の吹出口が化粧パネル５ｒの中央を中心として所定角度間隔、ここでは４つの吹き出し口であるため、各風向板は風向板５ａを起点として時計回りに、風向板５ｂ、風向板５ｃ、風向板５ｄが９０度間隔で配置されている。
【００１７】
室内機５は各風向板の回動角度を独立して制御できるため、風向板５ａ〜風向板５ｄに対応して１〜４の各風向板を識別する風向板識別番号が割り当てられている。そして室内機５はグループリモコン２で指示された風向板の番号で対応する風向板を制御する構成になっている。なお、室内機７は室内機５と同じ向き、つまり、同じ風向板識別番号で制御される風向板が２つの室内機で同じ位置に配置された風向板となるように設置されているため説明を省略する。
【００１８】
一方、室内機６は室内機５に対して１８０度回転した方向に設置されており、室内機５の風向板５ｃと対応する位置の風向板６ａを起点として時計回りに、風向板６ｂ、風向板６ｃ、風向板６ｄが９０度（所定角度）間隔に備えられている。なお、化粧パネル５ｒ〜７ｒのそれぞれの中央部には矩形状の吸込グリル５ｆ〜７ｆがそれぞれ装着されている。また、吸込グリル５ｆ〜７ｆの周辺部の１点には、各々の室内機の風向板のうち１つの風向板を指し示す三角形の基準マーク５ｘ〜７ｘがそれぞれ印刷されている。そして、各吸込グリルは各基準マークが各々の室内機のいずれか１の風向板を指し示すように着脱自在に各化粧パネルに装着されるようになっている。また、各吸込グリルはグループリモコン２から指示される風向板を識別する論理風向板番号が基準マークを起点として、それぞれの風向板に対応して割り当てられている。なお、論理風向板番号については後で詳細に説明する。
そして、各基準マークが同一の基準方向、図１では右上方となるように、各吸込グリルが各化粧パネルに装着されている。
【００１９】
図１（Ｂ）は空気調和機１を制御するグループリモコン２の正面図である。
横長のグループリモコン２は上部に液晶表示からなる表示エリアと下部には操作ボタンが配置された操作ボタンエリアがそれぞれ配置されている。
【００２０】
表示エリアには設定温度、風向板の角度、風量の大きさ、運転モード、現在選択されているグループの番号が表示され、操作ボタンエリアには、時計回りに９０度間隔で配置された室内機の４つの風向板を模した風向板ボタン２ａ、風向板ボタン２ｂ、風向板ボタン２ｃ、風向板ボタン２ｄが備えられ、風向板ボタン２ａの下には基準マーク２ｘが印刷されている。
【００２１】
そして、基準マーク２ｘを起点として時計回りに＃１〜＃４の前述した論理風向板番号が各風向板ボタンに印刷されている。この基準マーク２ｘは各室内機に装着された各吸込グリルの基準マークと対応しており、後述するように例えばグループリモコン２の基準マーク２ｘがある位置の風向板ボタン２ａを操作した場合、対応する室内機６の基準マーク６ｘがある位置の風向板６ｃを制御することができる。これは他の室内機も同じであり、室内機５なら基準マーク５ｘがある風向板５ａが同様に制御対象となる。なお、他の風向板ボタンも対応する室内機の風向板を制御することができる。この動作については後で詳細に説明する。
【００２２】
なお、操作ボタンとしては上記の他に、温度を上下させる上下ボタンやグループを選択するグループボタン、運転モードを選択する運転モードボタン、風量を選択する風量ボタン、運転の開始／停止を指示する運転ボタンが備えられている。
【００２３】
図２（Ａ）は外郭筐体６６の下方に化粧パネル６ｒを備えた室内機６を斜め下方から見上げた斜視図である。また、吸込グリル６ｆが化粧パネル６ｒから引き出されてつり下げられた状態を示している。室内機６は中央部に設けられたベルマウス６２の中央付近の吸込口６５から吸い込んだ空気を各風向板と対応する吹出口６４から吹き出すように構成されている。なお、前述したように風向板６ａを起点として時計回りに風向板６ｂ、風向板６ｃ、風向板６ｄが９０度間隔で備えられている。
【００２４】
なお、ベルマウス６２は化粧パネル６ｒの表面から吸込グリル６ｆの厚みだけ室内機６の内部に１段下げて設けられており、この化粧パネル６ｒの中心部側の各内面（側面）には矩形状の孔６ｐが２個１組で設けられている。また、風向板６ａ側のベルマウス６２上には透過型のフォトインタラプタ６ｓが設けられている。
一方、吸込グリル６ｆの端部には図示しない２つのフックが備えられており、このフックが風向板６ｃ側の孔６ｐに挿入されて回動自在に吊り下げられている。なお、この構造については後で詳細に説明する。
【００２５】
吸込グリル６ｆの裏面中央にはエアフィルター６ｇが装着されている。そして風向板６ｃと対応する吸込グリル６ｆの端部中央には後述する位置識別板６ｊが吸込グリル６ｆの内面側から垂直に設けられている。同様に位置識別板６ｊを起点としてエアフィルター６ｇ側から見て反時計回り方向に位置識別板６ｎ、位置識別板６ｍ、位置識別板６ｋが備えている。これらは吸込グリル６ｆの表面側から見た場合、時計回り方向になる。
一方、フックと反対方向の吸込グリル６ｆの端部には、２つの孔６ｐに対応した位置に２つのスライドノブ６ｈが設けられている。
【００２６】
なお、位置識別板６ｊが配置された位置と対応する吸込グリル６ｆの表側には前述した基準マーク６ｘが印刷されている。そして基準マーク６ｘを基準として、吸込グリル６ｆの表面側から見て時計回り方向の位置識別板６ｊ、位置識別板６ｎ、位置識別板６ｍ、位置識別板６ｋに対して、論理風向板番号＃１〜＃４が取り決めとして予め割り当てられている。前述したようにグループリモコン２からは、この論理風向板番号で意図する風向板を指定する。動作原理については後で詳細に説明する。
【００２７】
図２（Ｂ）は吸込グリル６ｆの装着方向を認識するための４種類の位置識別板６ｊ、位置識別板６ｎ、位置識別板６ｍ、位置識別板６ｋをそれぞれ示している。位置識別板６ｋを除く各位置識別板には大きさが異なる孔６ｊ１、孔６ｎ１、孔６ｍ１がそれぞれ１つずつ設けられている。なお、各孔の直径は孔６ｊ１＞孔６ｎ１＞孔６ｍ１の関係になっている。
【００２８】
各位置識別板は透過型フォトインタラプタ６ｓの図示しない発光部から出力される検出用の光を遮るためのものである。各位置識別板のうちの１つがフォトインタラプタ６ｓの検出用の光を一部、又は全部を遮ることにより、フォトインタラプタ６ｓから出力される電圧が変化する。つまり、孔の直径が大きいほどフォトインタラプタ６ｓから出力される電圧が高くなる。
【００２９】
この位置識別板６ｊ、位置識別板６ｎ、位置識別板６ｍ、位置識別板６ｋでフォトインタラプタ６ｓの検出用の光をそれぞれ遮ると、フォトインタラプタ６ｓから出力される検出電圧はそれぞれ、３．５ボルト、２．５ボルト、１．５ボルト、０ボルトになる。なお、吸込グリル６ｆが装着されていない場合は、フォトインタラプタ６ｓの検出用の光が全く遮られることがないため５ボルトが出力される。
【００３０】
図３は室内機６を側面から見た要部断面図である。図３（Ａ）は吸込グリル６ｆに備えられた断面Ｊ字状のフック６ｔと化粧パネル６ｒの関係を示す図である。
仕切板６３には風向板６ｃが回動自在に軸支されている。一方、吸込グリル６ｆの端部から突出して設けられたフック６ｔは化粧パネル６ｒの内周側の側面に設けられた孔６ｐに挿通されている。
【００３１】
図３（Ｂ）は吸込グリル６ｆが化粧パネル６ｒから吊り下げられた状態を示している。フック６ｔは断面がＪ字状であるため、孔６ｐを形成する化粧パネル６ｒの端部６ｖが吸込グリル６ｆの落下を防止する。また、吸込グリル６ｆを吊り下げ状態から少し上に移動させ、孔６ｐからフック６ｔを引き抜くことで吸込グリル６ｆを化粧パネル６ｒから取り外すことが可能である。なお、取付時は逆の手順となる。
【００３２】
図３（Ｃ）は吸込グリル６ｆを化粧パネル６ｒに係止する方法を示した図である。吸込グリル６ｆのフック６ｔと反対方向の端部には、断面Ｈ字状のスライドノブ６ｈが設けられており、フック６ｔと反対方向の端部に向かってスライドノブ６ｈをスライドさせ、このスライドノブ６ｈの先端６ｗが孔６ｐに挿入されることで吸込グリル６ｆが化粧パネル６ｒに係止される構造になっている。
【００３３】
図６は本発明の原理を説明する説明図であり、室内機を下方から見た図である。それぞれの風向板に記載された番号は風向板識別番号を示し、各吸込グリルに記載された番号は論理風向板番号を示している。
図６（Ａ）は室内機５を示しており、基準マーク５ｘが風向板５ａ（風向板識別番号が１）の位置になるように吸込グリル５ｆが装着されている。従って図示しないフォトインタラプタ６ｓは前述したように３．５ボルトを出力する。これは風向板識別番号（１）が論理風向板番号（＃１）となることを意味する。これらの番号はそれぞれ時計回りに番号が割り当てられているため、風向板識別番号と論理風向板番号とは全て同じ番号になる。
【００３４】
図６（Ｂ）は室内機６を示しており、基準マーク６ｘが風向板６ｃ（風向板識別番号が３）の位置になるように吸込グリル６ｆが装着されている。つまり、室内機５と室内機６の各吸込グリルは同じ方向を向いて装着されているが、室内機本体は互いに１８０度反対方向に設置されている。
【００３５】
前述したように、風向板６ａ〜風向板６ｄは風向板６ａから時計回りに風向板識別番号１〜４が割り当てられ、また、吸込グリル６ｆの基準マーク６ｘを起点として時計回りに論理風向板番号＃１〜＃４が各風向板に対応して割り当てられている。一方、風向板６ａと対応する方向にフォトインタラプタ６ｓが設けられている。また、位置識別板６ｊ、位置識別板６ｎ、位置識別板６ｍ、位置識別板６ｋの位置に対応して論理風向板番号＃１〜＃４が割り当てられており、フォトインタラプタ６ｓは位置識別板６ｍと対応する１．５ボルトの検出電圧を出力する。
【００３６】
この１．５ボルトの検出電圧は位置識別板６ｍの孔６ｍ１を検出した電圧であるため、位置識別板６ｍと、基準マーク６ｘの位置と対応する位置識別板６ｊの位置関係（１８０度反対方向）から、吸込グリル６ｆは化粧パネル６ｒに対して１８０度回転して装着されていることになる。つまり、グループリモコン２から指示された論理風向板番号に対して番号を２つずらして風向板識別番号に変換すればいいことになる。なお、本実施例では９０度間隔で風向板が配置されているため、番号をずらすための値は、吸込グリル６ｆが回転して装着された角度の１８０度／９０度＝２となる。
【００３７】
例えばグループリモコン２から指示された風向板の識別番号が論理風向板番号（＃２）の場合、この論理風向板番号（＃２）に２を加算し、加算された風向板識別番号（４）と対応する風向板を６ｄを制御する。一方、室内機５で論理風向板番号（＃２）を指定した場合は室内機６と同じ位置の風向板５ｂが動作することになる。
このように、室内機がどのような方向に設置されていても、装着された吸込グリルの基準マークの方向を論理風向板番号（＃１）としてユ−ザーは風向板を指定することができる。
【００３８】
一方、この２つの室内機をグループとして管理する場合、グループリモコン２から指示された論理風向板番号（＃２）は室内機５と室内機６にも同時に指示されており、室内機５は論理風向板番号（＃２）に対応する風向板５ｂを制御し、室内機６は風向板６ｄを制御することになる。
このように、論理風向板番号（＃２）の指示により、室内機５の風向板５ｂと室内機６の風向板を６ｄ、つまり、異なる方向に設置された室内機であっても、同じ位置の風向板を同一の風向板の識別番号で一括して制御することができる。  
【００３９】
図４は室内機６の制御ブロック図である。本願に関連しないファンモータや電子膨張弁などの記載は省略している。なお、全ての室内機は同じ構成である。
室内機６は、各位置識別板に設けられた孔の大きさを電圧として検出する透過型のフォトインタラプタ６ｓと、フォトインタラプタ６ｓで検出された検出電圧をＡ／Ｄ変換して検出電圧値として出力するＡ／Ｄ変換部１１と、他の機器と通信する通信部１３と、後述する風向板識別番号変換テーブルを記憶する記憶部１２と、風向板６ａ〜６ｄと対応するステッピングモータ１５ａ〜１５ｄと、これらを制御する制御部１４を備えている。
【００４０】
なお、前述したように、各風向板６ａ〜６ｄには風向板識別番号１〜４が割り当てられており、各風向板に対応するステッピングモータ１５ａ〜１５ｄにも同じ風向板識別番号が割り当てられる。制御部１４はグループリモコン２から指示された論理風向板番号を風向板識別番号に変換し、その風向板識別番号に基づいてステッピングモータ１５ａ〜１５ｄを制御する。この変換方法については後で詳細に説明する。
【００４１】
図５は本発明の機能を説明するためのブロック図である。
空気調和機１には室内機６とグループリモコン２が備えられ、室内機６はグループリモコン２で指示された論理風向板番号が入力される風向板番号変換手段７０と、風向板番号変換手段７０から出力される風向板識別番号に基づいて対応する風向板を制御する室内機制御手段７４を備えている。そして、風向番号変換手段７０は、グリル装着方向検出手段７１と、番号割当手段７２と、番号変換手段７３を備えている。
【００４２】
次にこの各手段と図４で説明したブロック図との関係を説明する。
グリル装着方向検出手段７１は、位置識別板６ｊ、位置識別板６ｎ、位置識別板６ｍ、位置識別板６ｋと、これらに備えられている穴の大きさを電圧として検出するフォトインタラプタ６ｓと、検出した電圧をＡ／Ｄ変換するＡ／Ｄ変換部１１を使用する。番号割当手段７２は記憶部１２を使用し、番号変換手段７３は他の機器と通信する通信部１３と記憶部１２を使用する。室内機制御手段７４はステッピングモータ１５ａ〜１５ｄを使用している。なお各手段は制御部１４で制御される。
【００４３】
グリル装着方向検出手段７１は、フォトインタラプタ６ｓで検出した各位置識別板の孔の大きさに対応した検出電圧をＡ／Ｄ変換部１１でデジタル値に変換し、検出電圧値として番号割当手段７２へ出力する。
【００４４】
番号割当手段７２は、グリル装着方向検出手段７１から検出電圧値が入力されると、この電圧を後述する予め指定された電圧範囲に応じて処理を行なう。番号割当手段７２はまず最初に、この検出電圧値が４ボルト以上か確認し検出電圧値が４ボルト以上の場合、吸込グリル６ｆは装着されていないと判断し何もしない。番号割当手段７２は、検出電圧値が４ボルト未満の場合、吸込グリル６ｆが装着されたと判断し、記憶部１２に記憶されている風向板識別番号変換テ−ブルを更新する。次にこの風向板識別番号変換テ−ブルと更新方法について説明する。
【００４５】
図７はこの風向板識別番号変換テ−ブルの内容を説明する説明図である。
風向板識別番号変換テ−ブルは横方向の項目として、風向板識別番号、論理風向板番号、割り当てられる論理風向板番号が＃１となるグリル装着方向検出手段７１の検出電圧の項がある。
風向板識別番号はテーブルの縦方向に１、２、３、４と規定されており、論理風向板番号はこの風向板識別番号に対応して＃１〜＃４が割り当てられて格納される。
割り当てられる論理風向板番号が＃１となるグリル装着方向検出手段７１の検出電圧の項は、風向板識別番号１〜４に対応して、３ボルト以上４ボルト未満、１ボルト未満、１ボルト以上２ボルト未満、２ボルト以上３ボルト未満がそれぞれ指定されている。
【００４６】
次に論理風向板番号が＃１となるグリル装着方向検出手段７１の検出電圧について説明する。図２で説明したように、吸込グリル６ｆの基準マーク６ｘがある端部には位置識別板６ｊが備えられている。従って吸込グリル６ｆが図２（Ａ）に示す吊り下げられた状態から装着された状態になると、フォトインタラプタ６ｓが設けられている位置に対応する吸込グリル６ｆの端部の位置識別板６ｍの孔６ｍ１の大きさと対応する電圧がフォトインタラプタ６ｓから出力される。このフォトインタラプタ６ｓで検出された検出電圧は前述の通り１．５ボルトになる。このため、基準マーク６ｘはフォトインタラプタ６ｓと反対方向、つまり、風向板６ｃ（風向板識別番号が３）の対応する位置にあることになり、この風向板６ｃ、つまり、風向板識別番号（３）が論理風向板番号（＃１）となる。
【００４７】
このような関係にあるため番号割当手段７２は、入力された検出電圧が３ボルト以上４ボルト未満、１ボルト未満、１ボルト以上２ボルト未満、２ボルト以上３ボルト未満ならば、該当する電圧範囲が格納された風向板識別番号変換テ−ブルのセルと対応する論理風向板番号の項、つまり、室内機６は風向板識別番号（３）と対応する論理風向板番号の項を＃１とする。
それぞれの風向板番号と吸込グリル６ｆの論理風向板番号は時計回りに順次割り当てられているため番号割当手段７２は、論理風向板番号（＃１）〜（＃４）に対応して風向板識別番号（３）、風向板識別番号（４）、風向板識別番号（１）、風向板識別番号（２）をそれぞれ割り当てる。なお、この風向板識別番号変換テーブルは記憶部１２に記憶されており、番号変換手段７３はこの風向板識別番号変換テーブルを参照できるようになっている。
【００４８】
このように作成された図７に示す風向板識別番号変換テーブルが記憶部１２に記憶されている場合、図５においてグループリモコン２から論理風向板番号（＃２）が風向板番号変換手段７０に送信された時、論理風向板番号（＃２）が入力された番号変換手段７３は、風向板識別番号変換テーブルから論理風向板番号（＃２）と対応する風向板識別番号（４）を室内機制御手段７４へ出力し、室内機制御手段７４は番号変換手段７３から入力された風向板識別番号（４）と対応する風向板６ｄを制御する。
【００４９】
以上説明したように、吸込グリル６ｆの装着方向に基づいて論理風向板番号に風向板識別番号を割り当てる番号割当手段７２と、入力された論理風向板番号を風向板識別番号に変換して出力する番号変換手段７３を備えたため、室内機６の各風向板の識別と、この風向板の動作を指示するグループリモコン２（指示装置）の風向板識別番号との関連付けをユーザーが認識し易いように簡単に関連付けすると共に、複数の室内機の取付方向が異なっても同じ方向の風向板を同一の論理風向板番号で一括操作することができる。
【００５０】
なお、本実施例では吸込グリルに基準マークを備えた例で説明しているが、これに限るものでなく、吸込グリルに例えば論理風向板番号を印刷するなどしてもよく、吸込グリルの装着方向や論理風向板番号が認識できるものならどのような番号や記号、文字であってもよい。なお、風向板識別番号も同様にどのような番号や記号、文字であってもよい。
また、本実施例ではグリル装着方向検出手段をフォトインタラプタと位置識別板で構成しているが、これに限るものでなく、風向板と対応する位置にそれぞれ１つずつ設けられたスイッチと、吸込グリルの基準マークと対応する位置に設けられた突起とで構成し、この突起が押したスイッチで基準方向を認識するなど、他の方法であってもよい。
【符号の説明】
【００５１】
１  空気調和機
２  グループリモコン（指示装置）
５  室内機
５ａ、５ｂ、５ｃ、５ｄ  風向板
５ｆ  吸込グリル
５ｒ  化粧パネル
５ｘ  基準マーク
６  室内機
６ａ、６ｂ、６ｃ、６ｄ  風向板
６ｆ  吸込グリル
６ｇ  エアフィルター
６ｈ  スライドノブ
６ｊ  位置識別板
６ｊ１  孔
６ｋ  位置識別板
６ｍ  位置識別板
６ｍ１  孔
６ｎ  位置識別板
６ｎ１  孔
６ｐ  孔
６ｒ  化粧パネル
６ｓ  フォトインタラプタ
６ｔ  フック
６ｖ  端部
６ｗ  先端
６ｘ  基準マーク
７  室内機
１１  Ａ／Ｄ変換部
１２  記憶部
１３  通信部
１４  制御部
１５ａ、１５ｂ、１５ｃ、１５ｄ  ステッピングモータ
５６  外郭筐体
６２  ベルマウス
６３  仕切板
６４  吹出口
６５  吸込口
６６  外郭筐体
７０  風向番号変換手段
７１  グリル装着方向検出手段
７２  番号割当手段
７３  番号変換手段
７４  室内機制御手段
【図１】
0006485127.tif 000002
【図２】
0006485127.tif 000003
【図３】
0006485127.tif 000004
【図４】
0006485127.tif 000005
【図５】
0006485127.tif 000006
【図６】
0006485127.tif 000007
【図７】
0006485127.tif 000008
【図８】
0006485127.tif 000009